(57)【要約】【課題】便所での使用方法に併せ、排泄、洗浄、小便、との選択ができ、可動架台と受皿部分と手洗い容器とトイレットロール紙保持具を前記選択に併せ電気機器と制御機器を用いて必要な位置に安全に動かす事である。【解決手段】表示画面式スイッチ２１で、排泄、洗浄、小便、の何れかを選択、便座保護カバー２を開き、受皿部分４Ａは駆動モーターで上下可動でき、排泄は通常大便の使用、洗浄は便座台３Ａに座り身体洗浄水と空気を通し水分除去、小便は受皿部分４Ａを上げ小便の飛散防止をする、手洗い容器１９は前後架台１９Ｂと上下架台１９Ａとの駆動モーターで前と上とに出し、手を差出すと手洗いができ、トイレットロール紙保持具１７と可動架台１Ａも駆動モーターにより駆動し、電気機器とセンサーと制御機器３０を用い制御し自動化した転倒防止便所。【選択図】図１
2005105804.tif 000002
【特許請求の範囲】
【請求項１】
固定架台に表示画面式スイッチを取付、同スイッチをタッチすると表示が変り使用方法が選択できる事と、便座保護カバーの開閉の作動と、可動架台の前後出し入れの作動と、受皿部分の上下の作動と、手洗い容器の前後架台で前後の作動と上下架台で上下の作動と、トイレットロール紙保持具の上下の作動と、排気用機器の作動で脱臭と、排水と洗浄水と手洗い水とは電動バルブ作動で水がでる事と、水除去用空気作動で空気による水除去ができる事と、互いに関連した前記の電気機器制御ができる機能を具備したことを特徴とする転倒防止便所。
【請求項２】
便座保護カバーを開くための駆動モーターと、駆動と停止を検出するセンサーを用い且人が居ない事をセンサーで検知し、便座保護カバーの開作動と排気用機器の作動と、一連の作動が全て終了後便座保護カバーを閉作動と、前記の電気機器制御ができる機能を具備したことを特徴とする請求項１記載の転倒防止便所。
【請求項３】
便座保護カバー開後、可動架台を前後出し入れするための駆動モーターと、駆動と停止を検知するセンサーを用い且受皿部分は排泄高Ａ検知で便座に人が居ないことをセンサーで検知し、可動架台スイッチ操作により可動架台の前後出し入れと、前記の電気機器制御ができる機能を具備したことを特徴とする請求項１記載の転倒防止便所。
【請求項４】
表示画面式スイッチで、排泄、洗浄、小便、の何れかを選択でき、選択位置へ受皿部分を上下するための駆動モーターと、駆動と停止を検出するセンサーを用い可動架台は後検知で便座に人が居ないことをセンサーで検知し上下の作動と、排泄高Ａ検知、洗浄高Ｂ検知、小便使用高Ｃ検知に到着停止した時点で電動バルブが作動し洗浄水が少量排水と、排泄高Ａ検知において排水スイッチ操作で電動バルブが作動し排水と、洗浄高Ｂ検知において洗浄水スイッチ操作で電動バルブが作動し身体の洗浄と、その後水除去用空気の駆動モーターが作動して空気を送り水分除去後受皿部分下降と、小便使用高Ｃ検知において使用後受皿部分スイッチ操作で受皿部分下降と、前記の電気機器制御ができる機能を具備したことを特徴とする請求項１の転倒防止便所。
【請求項５】
手洗い容器を前後出し入れする前後架台の駆動モーターと、前後架台が前検知の状態で上下する上下架台の駆動モーターと、駆動と停止を検出するセンサーを用い且便座に人が着座した事をセンサーで検知若しくは小便使用位置をセンサーで検知し前後架台と上下架台の作動と、手洗い容器に手を差し出すと電動バルブが作動し一定の手洗い水がでること、前記の電気機器制御ができる機能を具備したことを特徴とする請求項１記載の転倒防止便所。
【請求項６】
トイレットロール紙保持具を上下出し入れするための駆動モーターと、駆動と停止を検出するセンサーを用い、前記の電気機器制御ができる機能を具備したことを特徴とする請求項１記載の転倒防止便所。
【請求項７】
請求項１から６のいずれかに記載の電気機器が有する機能の一部または全部をコンピュータにより実行するためのプログラム。
【請求項８】
請求項７に記載のプログラムを記録したコンピュータ読みとり可能な記録媒体。
【発明の詳細な説明】
【技術分野】
【０００１】
本発明は、便所内取付の機器に駆動モーターを取付整備し、簡単なスイッチ操作で電気機器を制御して機器を収納場所から素早く取出しでき、使用後は人が操作しなくても収納でき快適な便所にする事である。
【背景技術】
【０００２】
現在、腰掛便器で小便を排泄するには便器の取付高さが低く固定式のため小便の飛散も度々あり対応が難しい状態であり、又便座に座り身体に付着した汚れを洗浄する事はできない状況であった。
【０００３】
そこで使用方法を、排泄、洗浄、小便、とに分け、表示画面式スイッチ２１をタッチして前記の使用を選択する、電気機器が作動し便座保護カバー２を開き、受皿部分４Ａの高さを前記の使用方法に併せて上下する事であり、且可動架台１Ａと手洗い容器１９とトイレットロール紙保持具１７も所定の使用位置に移動と使用後は収納できる方法である。
【０００４】
この改善策として、便器本体４を受皿部分４Ａと排水部分４Ｂとに分離でき且結合できる構造とし使用方法に併せて受皿部分４Ａの高さを駆動モーターＭ３を用いて変える事である。
タッチできる部分が大きく容易に操作ができる表示画面式スイッチ２１で、排泄、洗浄、小便、の何れか選択を行う、排泄を選択すと便座保護カバー２用駆動モーターが開作動し便座保護カバーは開き排気用機器６の駆動モーターが作動し脱臭を開始しする、次に受皿部分４Ａは排泄高Ａにて検知停止していると従来の使用方法と同じで大便使用となる、洗浄を選択すると便座保護カバー２と排気用機器６は前記と同じで、次に受皿部分４Ａは上昇し洗浄高Ｂ検知センサーにて検知停止する、便座台３Ａに着座し洗浄水スイッチを操作すると電動バルブ作動で一定時間身体洗浄と、その後一定時間水除去用空気で身体の水分を除去する、小便を選択すると便座保護カバー２と排気用機器６は前記と同じで、次に受皿部分４Ａは上昇し小便使用高Ｃ検知センサーにて検知停止するこれは大人使用で、子供の場合は大人検知センサーで子供確認し受皿部分４Ａは洗浄高Ｂ検知センサーで検知停止し、大人も子供も受皿部分４Ａと身体との差を縮小し小便の飛散防止する、排泄高Ａ停止時、洗浄高Ｂ停止時、小便使用高Ｃ停止時には洗浄水が少量排水される、其々の使用が終った状態で立退くと排水作動を行い受皿部分４Ａは排泄高Ａ定位置に下降停止と排気用機器６停止と便座保護カバー２は閉じ終了する。
【０００５】
排泄を選択し受皿部分４Ａが排泄高Ａ検知センサーで検知した場合で、可動架台１Ａに人は着座していない状態で可動架台スイッチを操作すると可動架台１Ａ用駆動モーターが駆動し前に作動する、この状態で着座し汚物を廃棄、その後立退き可動架台スイッチ操作すると可動架台１Ａ用駆動モーターは駆動し後に作動する。
【０００６】
排泄選択で受皿部分４Ａが排泄高Ａに停止で便座台３Ａに着座、洗浄選択で受皿部分１Ａが洗浄高Ｂに停止で便座台３Ａに着座、小便選択で受皿部分４Ａが小便使用高Ｃ若しくは洗浄高Ｂで停止と小便使用位置をセンサー検知で、手洗い容器１９の前後架台１９Ｂ用駆動モーターが駆動し前センサー検知で停止、次に上下架台１９Ａ用駆動モーターが駆動し上センサー検知で停止、この手洗い容器１９の位置は着座中の状態或いは小便使用の状態においても手が容易に届く距離で、手洗い容器１９に手を差し出すと手検知センサー検知で手洗い水が一定の時間排水される、手洗いと手拭きを終えて手洗スイッチを操作若しくは立退き後一定時間過ぎると手洗い容器１９の上下架台１９Ａは下降作動し前後架台１９Ｂは後作動し収納となる。
【０００７】
トイレットロール紙保持具１７においては、排泄選択と洗浄選択との動作において前項の手洗い容器１９が所定の位置に到着後、トイレットロール紙保持具１７を上下する駆動モーターを駆動し上検知センサー検知で停止、この状態でトイレットロール紙の取出しができる、手洗い容器１９が下降した時期にトイレットロール紙保持具１７も下降し収納する。
【０００８】
制御機器３０におけるコンピュータで各電気機器の駆動と停止並びに排水と空気の放出と、駆動において常に安全を確保して制御ができるプログラムで記録並びに読取りができる。
【特許文献１】特開２００２−３３２６７５号公報
【特許文献２】特開２００３−２６８８４４号公報
【非特許文献１】東陶機器株式会社著  ＴＯＴＯ総合カタログ  ２００２−２００３
【発明の開示】
【発明が解決しようとする課題】
【０００９】
解決しようとする問題点は、便所内で用いられている機器、便器、手洗い、手拭掛け、トイレットロール紙保持具とは床とか壁とかに固定取付され便所内は狭くなる、この狭い便所内で人が動く事を減らすには、逆に前記の機器を電気機器を用いて動かし人の動きを減らす事で更に安全と安心が確保できる方法である。
【課題を解決するための手段】
【００１０】
本発明は、便所で使用する機器に駆動モーター及び電動バルブを取付、制御機器、表示画面式スイッチ、センサー等も取付ける、使用方法は、排泄、洗浄、小便、とに定め使用直前に表示画面式スイッチで前記の何れかを選択すると、制御機器（コンピューター）のプログラムにて作動し、必要な位置に機器は移動し並びに電動バルブ作動で排水とか洗浄とか手洗いができ、終了すると機器は所定の場所に収納できと、自動化が計られゆとりの空間が作れ衛生的で安全が確保できる事が最も主要な特徴である。
【発明の効果】
【００１１】
本発明の転倒防止便所は、狭い便所の中で無駄な動きを省くことができしかも誰でも簡単に操作ができ、しかも高齢者とか身体が不具合とか病気治療中の方々とか生理中の方においても身体を洗浄し清らかな状態になれ、且従来の冷たい便所の雰囲気から暖かい爽やかな小部屋としての落着いた雰囲気に変える利点がある。
【発明を実施するための最良の形態】
【００１２】
便所内にて使用する機器は電気機器との組合せで動きもコンピューター制御により自動化ができ、更に使用方法において身体の洗浄ができ、通信手段を用いて外部からも制御と機能を監視と便所内部の状況を確認することも可能となる。
【実施例１】
【００１３】
（実施例１）は便所内で使用する電気機器の制御に関する回路図であって、制御機器３０に接続の出力関係は、便座保護カバー２用駆動モーターＭ１、可動架台１Ａ用駆動モーターＭ２、受皿部分４Ａ用駆動モーターＭ３、手洗い容器１９の前後架台１９Ｂ用駆動モーターＭ４と同じく上下架台１９Ａ用駆動モーターＭ５、トイレットロール紙保持具１７用駆動モーターＭ６、排気用機器１６用駆動モーターＭ７、水除去用空気用駆動モーターＭ８、排水用電動バルブＶ１、洗浄水用電動バルブＶ２、手洗い水用電動バルブＶ３となり。
入力関係としては、便座保護カバー２の開検知センサーＬＳ１・閉検知センサーＬＳ２、可動架台１Ａの前検知センサーＬＳ３・後検知センサーＬＳ４、受皿部分４Ａの排泄高Ａ検知センサーＬＳ５・洗浄高Ｂ検知センサーＬＳ６・小便使用高Ｃ検知センサーＬＳ７、手洗い容器１９の前後架台１９Ｂの前検知センサーＬＳ８・後検知センサーＬＳ９・上下架台１９Ａの下検知センサーＬＳ１１・上検知センサーＬＳ１０、トイレットロール紙保持具１７の下検知センサーＬＳ１３・上検知センサーＬＳ１２、可動架台１Ａ下部に足検知センサーＰＨ１、便座台３Ａに着座検知センサーＰＨ２、手洗い容器１９に手検知センサーＰＨ３、便座保護カバー２の内側に大人検知センサーＰＨ４、動作を指示する排水スイッチＰＢ１、受皿部分４Ａ下降作動の受皿部分スイッチＰＢ２、手洗い終了の手洗スイッチＰＢ３、洗浄水の放水用洗浄水スイッチＰＢ４、可動架台１Ａの前と後と作動の可動架台スイッチＰＢ５、表示画面式のスイッチ２１を接続し関係するセンサーとスイッチとの信号を受理し電気機器の駆動と停止を制御する、表示画面式スイッチ２１の表示文字は絵文字とかに変更もでき固定式の表示画面式スイッチ２１以外にリモコン方式の使用も可能である。
【００１４】
（実施例２）図２のフローチャートに基づいて排泄動作を説明する。表示画面式スイッチ２１はスタート表示の画面で待機しており、手でこの表示画面をタッチすると、排泄、洗浄、小便、の表示に切り変り、次に排泄をタッチすると排泄を選択し排泄動作となる、便座保護カバー２用駆動モーターＭ１が作動し開検知センサーＬＳ１で停止し、排気用機器Ｍ７が作動し脱臭を開始する、便座台３Ａに着座すると可動架台１Ａ取付の足検知センサーＰＨ１並びに着座検知センサーＰＨ２が作動すると使用直前に洗浄水用電動バルブＶ２が作動しタイマーＴ１作動時間分の洗浄水を排水し受皿部分４Ａの表面を濡らす、この排水は受皿部分４Ａに排泄物の付着を大幅に減らすことができる、排泄が終れば排水スイッチＰＢ１を操作すると排水電動バルブＶ１が作動し排水管４ｆから排水できる、便座台３Ａに着座し着座検知センサーＰＨ２が作動すると手洗い容器１９の前後架台１９Ｂ用駆動モーターＭ４駆動し前検知センサーＬＳ８作動で停止し、上下架台１９Ａ用駆動モーターＭ５が駆動し上検知センサーＬＳ１０作動で停止し手洗いの準備完了となる、上下架台１９Ａの作動と平行してトイレットロール紙保持具１７用駆動モーターＭ６も作動し上検知センサーＬＳ１２作動で停止する、手洗い容器１９に手を差出すと手検知センサーＰＨ３は作動し手洗い水用電動バルブＶ３が作動し手洗いができる、手を手拭２２で拭き手洗スイッチＰＢ３を操作すると手洗い容器１９は上下架台１９Ａ用駆動モーターＭ５が作動し下検知センサーＬＳ１１作動で停止し前後架台１９Ｂ用駆動モーターＭ４が作動し後検知センサーＬＳ９作動で停止する、前後架台が１９Ｂが作動するのと平行してトイレットロール紙保持具１７用駆動モーターＭ６が作動し下検知センサーＬＳ１３作動で停止する、可動架台１Ａは着座検知センサーＰＨ２並びに足検知センサーＰＨ１不在の場合可動架台1Ａを可動架台スイッチＰＢ５操作で可動架台１Ａ用駆動モーターＭ２を作動できる、一連の動きが無くなった時即ち便所から人が出た状態で便座保護カバー２用駆動モーターＭ１が作動し閉検知センサーＬＳ２作動で停止する、この時点で排気用機器Ｍ７も停止し表示画面式スイッチ２１はスタート表示となる。
【００１５】
（実施例３）図３のフローチャートに基づいて洗浄動作を説明する。表示画面式スイッチ２１は前項で説明の方法と同じで洗浄を選択し洗浄動作となる、便座保護カバー２と排気用機器Ｍ７も前項と同様に作動する、可動架台１Ａは後検知センサーＬＳ４作動で足検知センサーＰＨ１不在と便座台３Ａの着座検知センサーＰＨ２不在とで受皿部分４Ａ用駆動モーターＭ３が駆動し洗浄高Ｂ検知センサーＬＳ５作動で停止する、人は便座台３Ａに着座すると受皿部分４Ａの身体保護材４ｈと身体の腰並びに股の部分は密着する、この状態で洗浄水スイッチＰＢ４操作すると洗浄水は身体に向かって放水され洗浄でき、タイマーＴ４作動で一定時間後放水は停止し水除去用空気の駆動モーターが作動し同じく身体に向かって空気を放出しタイマーＴ５作動で一定時間後停止する、この空気により身体に付着の水は除去できる、人は便座台３Ａから立退くと受皿部分４Ａ用駆動モーターＭ３が下降作動で排泄高Ａ検知センサーＬＳ５で停止する、受皿部分４Ａが排泄高Ａに到着すると排水用電動バルブが作動し排水を行いタイマーＴ２作動で排水は停止する、手洗い容器１９並びにトイレットロール紙保持具１７の動きは前項と同じ動きとなり便座保護カバー２も同じ動きで終了する。
【００１６】
（実施例４）図４のフローチャートに基づいて小便使用を説明する。表示画面式スイッチ２１は前項で説明の方法で小便を選択し小便動作となる、便座保護カバー２と排気用機器Ｍ７も前項と同様に作動する、可動架台１Ａは後検知センサーＬＳ４作動で足検知センサーＰＨ１在席で便座台３Ａの着座検知センサーＰＨ２不在で便座保護カバー２内側取付の大人検知センサー在席で受皿部分４Ａ用駆動モーターＭ３が駆動し小便使用高Ｃ検知センサーＬＳ７作動で停止する、この動きは一定の背丈を有する大人の動きとなり、大人検知センサーＰＨ４不在即ち背丈の低い子供の場合は受皿部分４Ａは洗浄高Ｂ検知センサーＬＳ６作動で停止する、小便使用高Ｃ若しくは洗浄高Ｂに停止すると洗浄水用電動バルブＶ２が作動しタイマーＴ１作動時間分の洗浄水を排出し受皿部分４Ａの表面を濡らす、排泄後受皿部分４Ａ可動架台スイッチＰＢ２を操作すると受皿部分４Ａ用駆動モーターＭ３が下降作動で排泄高Ａ検知センサーＬＳ５で停止する、受皿部分4Ａが排泄高Ａに到着すると排水用電動バルブが作動し排水を行いタイマーＴ２作動で排水は停止する、手洗い容器１９の動きは前項と同じ動きとなりトイレットロール紙保持具１７は使用せず便座保護カバー２も同じ動きで終了する。
【００１７】
（実施例５）図５は電気機器並びに検知センサーの配置を平面から見た状況の説明図で、操作が必要な各スイッチＰＢ１〜ＰＢ５は手が容易に届く前面に配置し制御部分とか駆動モーターとか電動バルブは固定架台１若しくは可動架台１Ａ内に収納し安全を確保している、手洗い容器１９は着座した人から斜め前に出て着座状態で容易に手が洗える、使用後は前項に示した方法で固定架台１内に収納する、各操作スイッチＰＢ１〜ＰＢ５を表示画面式スイッチ２１に組み入れする事も可能である。
【００１８】
（実施例６）図６は排泄高Ａで電気機器並びに検知センサーの配置を側面から見た状況の説明図で、受皿部分４Ａは排泄高Ａ検知センサーＬＳ５に位置し足検知センサーＰＨ１と着座検知センサーＰＨ２並びに受皿部分４Ａ用駆動モーターＭ３等を示す。
【００１９】
（実施例７）図７は洗浄高Ｂで電気機器並びに検知センサーの配置を側面から見た状況の説明図で、受皿部分４Ａは洗浄高Ｂ検知センサーＬＳ６に位置し足検知センサーＰＨ１と着座検知センサーＰＨ２並びに受皿部分４Ａ用駆動モーターＭ３等を示す。
【００２０】
(実施例８）図８は小便使用高Ｃで電気機器並びに検知センサーの配置を側面から見た状況の説明図で、受皿部分４Ａは小便使用高Ｃ検知センサーＬＳ７に位置し足検知センサーＰＨ１と着座検知センサーＰＨ２と大人検知センサーＰＨ４並びに受皿部分４Ａ用駆動モーターＭ３等を示す。
【００２１】
（実施例９）図９は可動架台１Ａが前で電気機器並びに検知センサーの配置を側面から見た状況の説明図で、受皿部分４Ａは排泄高Ａ検知センサーＬＳ５に位置し可動架台１Ａは前検知センサーＬＳ３に位置し着座検知センサーＰＨ２は在席し足検知センサーＰＨ１は在席し可動架台１Ａ用駆動モーターＭ２等を示す。
【００２２】
(実施例１０）図１０は手洗い容器１９の前後架台１９Ｂが前で上下架台１９Ａが上で電気機器並びに検知センサーの配置を側面から見た状況の説明図で、手洗い容器１９の前後架台１９Ｂの前検知センサーＬＳ８に位置し同じく上下架台１９Ａの上検知センサーＬＳ１０に位置し手洗い容器１９に手を検知し手洗い水の排水をする手検知センサーＰＨ３と同じく前後架台１９Ｂ用駆動モーターＭ４と上下架台１９Ａ用駆動モーターＭ５等を示す。
【００２３】
（実施例１１）図１１はトイレットロール紙保持具１７が上で電気機器並びに検知センサーの配置を側面から見た状況の説明図で、トイレットロール紙保持具１７は上検知センサーＬＳ１２に位置しトイレットロール紙保持具１７用駆動モーターＭ６等を示す。
【産業上の利用可能性】
【００２４】
便所は暖かくて爽やかな小部屋となり、機器の動きが自動化でき使い易い場所となる。
【図面の簡単な説明】
【００２５】
【図１】転倒防止便所で使用する電気機器の回路図である（実施例１）
【図２】転倒防止便所で排泄動作のフローチャート図である（実施例２）
【図３】転倒防止便所で洗浄動作のフローチャート図である（実施例３）
【図４】転倒防止便所で小便動作のフローチャート図である（実施例４）
【図５】転倒防止便所で制御機器の配置を示す平面図である（実施例５）
【図６】転倒防止便所で排泄高Ａの状況を示す側面図である（実施例６）
【図７】転倒防止便所で洗浄高Ｂの状況を示す側面図である（実施例７）
【図８】転倒防止便所で小便使用高Ｃの状況を示す側面図である（実施例８）
【図９】転倒防止便所で可動架台の出状況を示す側面図である（実施例９）
【図１０】転倒防止便所で手洗い容器の状況を示す側面図である（実施例１０）
【図１１】転倒防止便所でトイレットロール紙保持具の側面図である（実施例１１）
【符号の説明】
【００２６】
１      固定架台
１Ａ    可動架台
２      便座保護カバー
３Ａ    便座台
４      便器本体
４Ａ    受皿部分
４Ｂ    排水部分
４Ｃ    腰保護部分
４Ｄ    可動軸
４Ｅ    可動機器
４ｆ    排水管
４ｇ    洗浄水管
４ｈ    身体保護材
１４    床
１５    換気扇
１６    排気用ダクト
１７    トイレットロール紙保持具
１９    手洗い容器
１９Ａ  上下可動架台
１９Ｂ  前後可動架台
１９Ｃ  手拭掛け
２１    表示画面式スイッチ
２２    手拭
３０    制御機器
Ｍ１〜Ｍ８        駆動モーター
Ｖ１〜Ｖ３        電動バルブ
ＬＳ１〜ＬＳ１３  検知センサー
ＰＨ１〜ＰＨ４    検知センサー
ＰＢ１〜ＰＢ５    操作スイッチ
【図１】
2005105804.tif 000003
【図２】
2005105804.tif 000004
【図３】
2005105804.tif 000005
【図４】
2005105804.tif 000006
【図５】
2005105804.tif 000007
【図６】
2005105804.tif 000008
【図７】
2005105804.tif 000009
【図８】
2005105804.tif 000010
【図９】
2005105804.tif 000011
【図１０】
2005105804.tif 000012
【図１１】
2005105804.tif 000013